(57)【要約】      （修正有）【課題】装着性の良好な画像観察用眼鏡を提供する。【解決手段】画像観察用眼鏡１は、画像を観察するための画像観察部２１と、画像観察部２１を保持する枠部２２と、枠部２２の両端に配置される一対の柄部３と、を備え、一対の柄部３は、互いに近接離間する方向に移動可能に、枠部２２に係合されている。使用者は、柄部が緩い場合には、柄部を近接する方向に移動させ、きつい場合には、離間する方向に移動させて画像観察用眼鏡を装着する。【選択図】図２
2012047782.tif 000002
【特許請求の範囲】
【請求項１】
画像を観察するための画像観察部と、
前記画像観察部を保持する枠部と、
前記枠部の両端に配置される一対の柄部と、
を備え、
前記一対の柄部は、互いに近接離間する方向に移動可能に、前記枠部に係合されていることを特徴とする画像観察用眼鏡。
【請求項２】
請求項１に記載の画像観察用眼鏡であって、
前記一対の柄部は、互いに遠ざかる方向に移動するに従い前記枠部に対して遠ざかる方向に移動するように、前記枠部に係合されていることを特徴とする画像観察用眼鏡。
【請求項３】
請求項１または請求項２に記載の画像観察用眼鏡であって、
前記枠部は、前記柄部の移動を規制する規制部を備えていることを特徴とする画像観察用眼鏡。
【発明の詳細な説明】
【技術分野】
【０００１】
本発明は、スクリーンやディスプレイに表示される画像を観察するための画像観察用眼鏡に関する。
【背景技術】
【０００２】
近年、スクリーンやディスプレイに表示される画像を、専用の眼鏡を用いることで観察者に３次元画像を認識させたり、同時に２種類の画像を観察できるようにしたりする技術が提案されている（例えば、特許文献１参照）。
【０００３】
特許文献１に記載の眼鏡（眼鏡装置）は、フレーム部および一対の柄を備えている。フレーム部には、使用者の左右の眼の前方に位置する液晶シャッターや偏光フィルターが設けられている。一対の柄は、フレームの両端にそれぞれ連結されている。そして、この眼鏡は、一対の柄が使用者の頭部を挟持するように装着される。
【先行技術文献】
【特許文献】
【０００４】
【特許文献１】特開平１０−２４３４２０号公報
【発明の概要】
【発明が解決しようとする課題】
【０００５】
しかしながら、特許文献１に記載の眼鏡は、使用者の様々な頭部寸法に対応するように構成されていないため、眼鏡の使用者によっては、一対の柄によって圧迫されて不快感を感じたり、緩くて眼鏡の位置がずれて画像を適切に観察できなかったりする恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像観察用眼鏡は、画像を観察するための画像観察部と、前記画像観察部を保持する枠部と、前記枠部の両端に配置される一対の柄部と、を備え、前記一対の柄部は、互いに近接離間する方向に移動可能に、前記枠部に係合されていることを特徴とする。
【０００８】
この構成によれば、画像観察用眼鏡は、枠部の端部に配置される一対の柄部が互いに近接離間する方向に移動可能に、枠部に係合されている。これによって、使用者は、頭部のサイズに合うように柄部を移動させ、この画像観察用眼鏡を装着することができる。すなわち、使用者は、柄部が緩い場合には、柄部を近接する方向に移動させ、きつい場合には、離間する方向に移動させて画像観察用眼鏡を装着することができる。よって、使用者の頭部サイズに対応して柄部の位置を調整できるので、柄部の締め付けによる頭部の痛みや、画像観察用眼鏡の位置ずれが抑制され、装着性の良好な画像観察用眼鏡が可能となる。
【０００９】
［適用例２］上記適用例に係る画像観察用眼鏡において、前記一対の柄部は、互いに遠ざかる方向に移動するに従い前記枠部に対して遠ざかる方向に移動するように、前記枠部に係合されていることが好ましい。
【００１０】
この構成によれば、枠部の両端に配置される一対の柄部は、枠部に係合され、互いに遠ざかる方向に移動するに従い枠部に対して遠ざかる方向に移動するように構成されている。これによって、使用者の頭部サイズにおける左右のサイズに加え、前後のサイズに対しても調整することが可能となる。したがって、使用者の装着感のさらなる向上が図れる。
【００１１】
［適用例３］上記適用例に係る画像観察用眼鏡において、前記枠部は、前記柄部の移動を規制する規制部を備えていることが好ましい。
【００１２】
この構成によれば、枠部は、柄部の移動を規制する規制部を備えているので、柄部が枠部から外れることを防止することが可能となる。これによって、柄部と枠部とが分離されることが抑制され、画像観察用眼鏡の取り扱い性の向上が図れる。
【図面の簡単な説明】
【００１３】
【図１】第１実施形態の画像観察用眼鏡を模式的に示す外観図。
【図２】第１実施形態の連結部近傍の画像観察用眼鏡を模式的に示す分解斜視図。
【図３】第１実施形態の連結部と枠部とが係合された状態を模式的に示す断面図。
【図４】第１実施形態の柄部の状態を説明するための模式図。
【図５】第２実施形態の画像観察用眼鏡の模式図。
【発明を実施するための形態】
【００１４】
（第１実施形態）
以下、第１実施形態に係る画像観察用眼鏡について、図面を参照して説明する。
図１は、本実施形態の画像観察用眼鏡を模式的に示す外観図である。なお、以下では、説明の便宜上、画像観察用眼鏡１を装着した使用者から見て、前方を＋Ｙ方向（前方向）、右方向を＋Ｘ方向（右方向）、上方向を＋Ｚ方向（上方向）として記載する。
【００１５】
画像観察用眼鏡１は、図１に示すように、本体部２および柄部３を備えている。
本体部２は、画像観察部２１、および枠部２２を備えている。
画像観察部２１は、使用者にとって右眼の前方位置になる画像観察部２１Ｒ、左眼の前方位置になる画像観察部２１Ｌを備えている。画像観察部２１Ｒ，２１Ｌは、立体画像や１つのディスプレイで複数の画像等を観察するための光学部材（例えば、液晶シャッターや光学フィルター等）や、メカ的なシャッター機構等を有して構成されている。
枠部２２は、画像観察部２１Ｒ，２１Ｌを保持するように構成されている。
【００１６】
柄部３は、本体部２の両端に一対設けられ、枠部２２の＋Ｘ側端部に係合される柄部３Ｒ、および枠部２２の−Ｘ側端部に係合される柄部３Ｌを備えている。そして、画像観察用眼鏡１が装着されると、柄部３Ｒは、使用者の頭部の右側に位置し、柄部３Ｌは、使用者の頭部の左側に位置することとなる。
【００１７】
柄部３Ｒ，３Ｌは、それぞれ連結部４Ｒ，４Ｌおよびテンプル部５Ｒ，５Ｌを備え、左右対称に形成されている。
連結部４Ｒ，４Ｌは、枠部２２に係合される部材であり、係合されたときに枠部２２に対してスライド可能に構成されている。すなわち、画像観察用眼鏡１は、連結部４Ｒ，４Ｌが移動されることによって、柄部３Ｒと、柄部３Ｌとの間の距離が変更できるようになっている。なお、連結部４Ｒ，４Ｌと枠部２２とが係合される構成については、後で詳細に説明する。
【００１８】
テンプル部５Ｒ，５Ｌは、蝶番（図示省略）を介して連結部４Ｒ，４Ｌにそれぞれ接続されている。テンプル部５Ｒ，５Ｌは、蝶番を支点として後側（−Ｙ側）の端部が互いに近づく方向に折り畳むことが可能になっている。
【００１９】
ここで、連結部４Ｒ，４Ｌと枠部２２とが係合される構成について、詳細に説明する。
柄部３Ｒ，３Ｌは、前述したように、左右対称に形成されており、連結部４Ｒ，４Ｌと枠部２２との係合についても左右対称に形成されている。ここでは、連結部４Ｒに注目して説明する。
図２は、連結部４Ｒ近傍の画像観察用眼鏡１を模式的に示す分解斜視図である。図３は、連結部４Ｒと枠部２２とが係合された状態を模式的に示す断面図である。
【００２０】
枠部２２の＋Ｘ側の端部には、図２、図３に示すように、−Ｙ方向に突出する突出部が設けられており、この突出部の−Ｙ側の端面には、連結部４Ｒの移動を案内する案内溝２２１が形成されている。案内溝２２１は、Ｘ方向に貫通し、−Ｙ側より＋Ｙ側が広い断面視略三角形状に形成されている。また、この案内溝２２１の奥側の面には、Ｘ方向が長手方向となる平面視矩形状の凹部（規制部２２２）が設けられている。
【００２１】
連結部４Ｒは、図２、図３に示すように、案内溝２２１に係合される係合部４１、および係合部４１の先端に形成された凸部４２（図３参照）を有している。
係合部４１は、Ｘ方向から案内溝２２１に圧入されて案内溝２２１に係合される形状を有している。係合部４１は、例えば、案内溝２２１に倣うような形状や、案内溝２２１の対向する面を押圧するような形状を有するように形成されている。また、係合部４１は、使用者が指の力で連結部４Ｒを移動可能で、使用者が画像観察用眼鏡１を装着した際に連結部４Ｒがずれないような摩擦力を有して案内溝２２１に圧入される形状となっている。
【００２２】
凸部４２は、外形寸法が規制部２２２の短手方向の寸法より小さい円柱状に形成されており、規制部２２２に対応する位置に形成されている。凸部４２は、連結部４Ｒが移動されることによって規制部２２２内を移動することとなる。
そして、連結部４Ｒは、凸部４２が規制部２２２の内面と当接する範囲において、移動可能となる。すなわち、規制部２２２は、連結部４Ｒ、つまり柄部３Ｒの移動を規制する機能を有している。
【００２３】
連結部４Ｌは、連結部４Ｒが枠部２２の＋Ｘ側の端部に係合された構成と同様に、枠部２２の−Ｘ側の端部に係合され、規制部２２２によって移動が規制される。そして、連結部４Ｒ，４Ｌが枠部２２に係合された柄部３Ｒ，３Ｌは、規制部２２２によって移動が規制される範囲内において、互いに近接離間する方向に移動可能となる。
【００２４】
ここで、柄部３が移動される動作について、柄部３Ｒに注目して説明する。
図４は、柄部３Ｒの状態を説明するための模式図であり、上方から見た連結部４Ｒ近傍の画像観察用眼鏡１の断面図である。具体的に、図４（ａ）は、柄部３Ｒが移動可能な範囲内において、中間に位置する中間状態を示す図、図４（ｂ）は、柄部３Ｒが最も−Ｘ側に移動された最小状態を示す図、図４（ｃ）は、柄部３Ｒが最も＋Ｘ側に移動された最大状態を示す図である。
【００２５】
連結部４Ｒは、図４（ａ）に示すように、中間状態において、凸部４２が規制部２２２の中間位置にあり、＋Ｘ方向および−Ｘ方向のどちらにも移動可能な状態となっている。
図示は省略するが、連結部４Ｌは、連結部４Ｒと同様に、中間状態において、＋Ｘ方向および−Ｘ方向のどちらにも移動可能な状態となっており、連結部４Ｌ，４Ｒの双方が中間状態の場合には、柄部３Ｌと柄部３Ｒとの距離は、Ｈとなる。
【００２６】
柄部３Ｒは、この中間状態から連結部４Ｒが柄部３Ｌに近接する方向（−Ｘ方向）に移動され、図４（ｂ）に示すように、凸部４２が規制部２２２の−Ｘ側の内面に当接するまで移動されると、最小状態となる。柄部３Ｒは、最小状態において、中間状態に対して距離Ｌ、−Ｘ側に移動することとなる。
【００２７】
図示は省略するが、同様に、柄部３Ｌは、柄部３Ｒに近接する方向（＋Ｘ方向）に凸部４２が規制部２２２の内面に当接するまで移動されると最小状態となり、中間状態に対して距離Ｌ、＋Ｘ側に移動することとなる。そして、柄部３Ｌ，３Ｒの双方が最小状態の場合には、柄部３Ｌと柄部３Ｒとの距離は、Ｈ−２Ｌとなり、中間状態に対して距離２Ｌ短くなる。
【００２８】
柄部３Ｒは、連結部４Ｒが柄部３Ｌから遠ざかる方向（＋Ｘ方向）に移動され、図４（ｃ）に示すように、凸部４２が規制部２２２の＋Ｘ側の内面に当接するまで移動されると、最大状態となる。柄部３Ｒは、最大状態において、中間状態に対して距離Ｌ、＋Ｘ側に移動することとなる。
【００２９】
図示は省略するが、同様に、柄部３Ｌは、柄部３Ｒから遠ざかる方向（−Ｘ方向）に凸部４２が規制部２２２の内面に当接するまで移動されると最大状態となり、中間状態に対して距離Ｌ、−Ｘ側に移動することとなる。そして、柄部３Ｌ，３Ｒの双方が最大状態の場合には、柄部３Ｌと柄部３Ｒとの距離は、Ｈ＋２Ｌとなり、中間状態に対して距離２Ｌ長くなる。
【００３０】
このように柄部３Ｌ，３Ｒは、互いに近接離間する方向に移動可能に、枠部２２に係合され、互いの距離がＨ±２Ｌの範囲で調整可能に構成されている。
【００３１】
以上説明したように、本実施形態の画像観察用眼鏡１によれば、以下の効果を得ることができる。
（１）画像観察用眼鏡１は、一対の柄部３が互いに近接離間する方向に移動可能に、枠部２２に係合されている。これによって、使用者は、画像観察用眼鏡１を装着する際に、使用者の頭部サイズに合うように柄部３の位置を調整できるので、柄部３の締め付けによる頭部の痛みや、画像観察用眼鏡１の位置ずれが抑制され、装着性の良好な画像観察用眼鏡１が可能となる。
【００３２】
（２）柄部３は、使用者の指の力で移動できるように構成されているので、特定の工具等を使用することなく柄部３の位置を調整することができ、利便性の向上が図れる。
【００３３】
（３）枠部２２と柄部３とは、案内溝２２１と係合部４１とが係合されるという簡素な構成で接続されているので、部品点数や重量の増加を抑制して柄部３が移動可能な画像観察用眼鏡１を提供することが可能となる。
【００３４】
（４）枠部２２は、柄部３の移動を規制する規制部２２２を備えているので、柄部３が枠部２２から外れることを防止することが可能となる。これによって、柄部３と枠部２２とが分離されることが抑制され、画像観察用眼鏡１の取り扱い性の向上が図れる。
【００３５】
（第２実施形態）
次に、第２実施形態に係る画像観察用眼鏡１０について、図面を参照して説明する。以下の説明では、第１実施形態の画像観察用眼鏡１と同様の構造および同様の部材には、同一符号を付し、その詳細な説明は省略または簡略化する。
本実施形態の画像観察用眼鏡１０は、第１実施形態の柄部３と異なる方向に移動可能に構成された柄部１３を備えている。
【００３６】
柄部１３は、第１実施形態の柄部３と同様に一対設けられ、左右対称に形成されている。ここでは、画像観察用眼鏡１０の＋Ｘ側に位置する柄部１３Ｒに注目して説明する。
【００３７】
図５は、画像観察用眼鏡１０の模式図であり、（ａ）は、画像観察用眼鏡１０の＋Ｘ側を示す外観図、（ｂ）は、画像観察用眼鏡１０の断面図であり、図５（ａ）における断面Ａ−Ａを示す図である。
柄部１３Ｒは、図５に示すように、第１実施形態の連結部４Ｒ、テンプル部５Ｒと形状の異なる連結部１４Ｒ、テンプル部１５Ｒを備えている。また、本体部１２は、第１実施形態の枠部２２と形状の異なる枠部１２２を備えている。
【００３８】
枠部１２２の＋Ｘ側の端部には、図５に示すように、−Ｙ方向に突出する突出部が設けられており、この突出部の−Ｙ側の端面１２２Ａは、Ｘ−Ｚ平面に対して＋Ｘ側が−Ｘ側より後方（−Ｙ方向）に位置するように傾斜して形成されている。そして、この端面１２２Ａには、連結部１４Ｒの移動を案内する案内溝１２２１Ｒが形成されている。
【００３９】
案内溝１２２１Ｒは、図５（ｂ）に示すように、連結部１４Ｒを覆うような形状を有している。案内溝１２２１Ｒは、端面１２２Ａに倣って延出しており、＋Ｘ方向に向かう程−Ｙ側に位置するように、Ｘ方向に対して傾斜する方向に延出して形成されている。そして、案内溝１２２１Ｒの上下の内面には、柄部１３Ｒの移動を規制する円柱状の突起部（規制部１２２２）がそれぞれ２つ設けられている。
【００４０】
規制部１２２２は、図５（ａ）に示すように、案内溝１２２１Ｒの−Ｘ側に位置する規制部１２２２ａ、および＋Ｘ側に位置する規制部１２２２ｂを有し、案内溝１２２１Ｒの延出する方向に沿って形成されている。
【００４１】
連結部１４Ｒは、圧入されて案内溝１２２１Ｒに係合される形状を有している。連結部１４Ｒは、例えば、案内溝１２２１Ｒに倣うような形状や、案内溝１２２１Ｒの対向する面を押圧するような形状を有するように形成されている。また、連結部１４Ｒは、使用者が指の力で移動可能で、使用者が画像観察用眼鏡１０を装着した際に連結部１４Ｒがずれないような摩擦力を有して案内溝１２２１Ｒに圧入される形状となっている。連結部１４Ｒは、外形が案内溝１２２１Ｒ内に挿入されるので、前方（＋Ｙ方向）から見えないように構成される。
【００４２】
また、連結部１４Ｒの上下の面には、凹部１４１が形成されている。凹部１４１は、図５（ａ）に示すように、内部に規制部１２２２ａ，１２２２ｂが位置するように長尺状に形成されている。
【００４３】
そして、連結部１４Ｒが枠部１２２に係合された柄部１３Ｒは、凹部１４１の内面が規制部１２２２と当接する範囲において、移動可能となる。
図示は省略するが、画像観察用眼鏡１０の−Ｘ側に位置する柄部１３は、柄部１３Ｒと左右対称に枠部１２２と係合されている。そして、一対の柄部１３は、規制部１２２２によって移動が規制される範囲内において、互いに近接離間する方向に移動可能となる。
【００４４】
ここで、柄部１３が移動される動作について、柄部１３Ｒに注目して説明する。
柄部１３Ｒは、図５（ａ）に示すように、中間状態において、凹部１４１の中間位置に規制部１２２２ａ，１２２２ｂが位置し、＋Ｘ方向および−Ｘ方向のどちらにも移動可能な状態となっている。
【００４５】
この中間状態から連結部１４Ｒが−Ｘ方向に押圧されると、柄部１３Ｒは、−Ｘ方向に移動するに従い枠部１２２に対して近づく方向に移動し、凹部１４１の＋Ｘ側の内面が規制部１２２２ｂに当接すると最小状態となる。この最小状態において、柄部１３Ｒは、中間状態に対し、Ｘ方向において、距離Ｍ、−Ｘ側に移動し、Ｙ方向において、枠部１２２に近づく方向に距離Ｖ移動することとなる。
【００４６】
柄部１３Ｒは、連結部１４Ｒが＋Ｘ方向に押圧されると、＋Ｘ方向に移動するに従い枠部１２２に対して遠ざかる方向に移動し、凹部１４１の−Ｘ側の内面が規制部１２２２ａに当接すると最大状態となる。この最大状態において、柄部１３Ｒは、中間状態に対し、Ｘ方向において、距離Ｍ、＋Ｘ側に移動し、Ｙ方向において、枠部１２２に遠ざかる方向に距離Ｖ移動することとなる。
【００４７】
図示は省略するが、画像観察用眼鏡１０の−Ｘ側に位置する柄部１３は、最小状態において、中間状態に対し、Ｘ方向において、距離Ｍ、＋Ｘ側に移動し、Ｙ方向において、枠部１２２に近づく方向に距離Ｖ移動する。そして、画像観察用眼鏡１０の−Ｘ側に位置する柄部１３は、最大状態において、中間状態に対し、Ｘ方向において、距離Ｍ、−Ｘ側に移動し、Ｙ方向において、枠部１２２に遠ざかる方向に距離Ｖ移動する。
【００４８】
このように一対の柄部１３は、互いに遠ざかる方向に移動するに従い枠部１２２に対して遠ざかる方向に移動するように、枠部１２２に係合されている。また、使用者が画像観察用眼鏡１０を装着した際に、一対の柄部１３には、互いが離間する方向（以下、「装着時負荷方向」という）に力が加わるが、一対の柄部１３は、この装着時負荷方向に対して傾斜する方向に移動可能に係合されている。そして、一対の柄部１３は、中間状態に対して、左右方向における距離が±２Ｍ、前後方向に置ける距離が±Ｖの範囲で調整できるように構成されている。
【００４９】
以上説明したように、本実施形態の画像観察用眼鏡１０によれば、第１実施形態の効果に加えて、以下の効果を得ることができる。
（１）一対の柄部１３は、互いに遠ざかる方向に移動するに従い枠部１２２に対して遠ざかる方向に移動するように構成されている。これによって、使用者の頭部サイズにおける左右のサイズに加え、前後のサイズに対しても調整することが可能となる。したがって、使用者の装着感のさらなる向上が図れる。
【００５０】
（２）一対の柄部１３は、装着時負荷方向に対して傾斜する方向に移動可能に構成されている。これによって、装着時負荷方向と移動方向とが略一致する構成に比べ、連結部１４Ｒと案内溝１２２１Ｒとの間の摩擦力が小さくなるように構成しても、使用者が画像観察用眼鏡１０を装着した際の連結部１４Ｒがずれないようにすることが可能となる。つまり、連結部１４Ｒを移動させる操作力も小さくすることが可能となり、柄部１３の位置調整がさらに行い易くなる。
【００５１】
（３）連結部１４Ｒは、前方（＋Ｙ方向）から見えないように構成されるので、画像観察用眼鏡１０の外観の向上が図れる。
【００５２】
（変形例）
なお、前記実施形態は、以下のように変更してもよい。
前記実施形態のテンプル部は、連結部に対して蝶番を介して接続されているが、蝶番を削除し、テンプル部と連結部とを一体的に形成するように構成してもよい。
【００５３】
第２実施形態の連結部１４Ｒは、案内溝１２２１Ｒに案内されて移動するように構成されているが、凹部１４１が規制部１２２２に案内されて移動するように構成してもよい。
【符号の説明】
【００５４】
１，１０…画像観察用眼鏡、２，１２…本体部、３，３Ｌ，３Ｒ，１３，１３Ｒ…柄部、４Ｌ，４Ｒ，１４Ｒ…連結部、２１，２１Ｌ，２１Ｒ…画像観察部、２２，１２２…枠部、４１…係合部、４２…凸部、１４１…凹部、２２１，１２２１Ｒ…案内溝、２２２，１２２２，１２２２ａ，１２２２ｂ…規制部。
【図１】
2012047782.tif 000003
【図２】
2012047782.tif 000004
【図３】
2012047782.tif 000005
【図４】
2012047782.tif 000006
【図５】
2012047782.tif 000007